(57)【要約】【課題】使用済遊技部品の活用を図る。【解決手段】使用済として回収された遊技盤２に取り付けられているスピーカ１４、球検出器１９、センター飾り２２、主制御装置２５、画像表示器２３、図柄制御装置２６、音制御装置２７、遊技機枠１に取り付けられている電源装置などの遊技部品を、筐体本体３６、前面筐体３７、スピーカ収納構造体３８、蓋３９からなる専用の筐体３５に組み付けて活用し、画像表示器２３で表示される、リーチ、大当たり、確率変動、時短、チャンスタイム、再抽選など種々の遊技演出を、疑似体験する。【選択図】図１
2005185715.tif 000002
【特許請求の範囲】
【請求項１】
使用済として回収されたパチンコ機から電源装置、球検出器、センター飾り、画像表示器、主制御装置、図柄制御装置を取り外し、その取り外した電源装置、球検出器、センター飾り、画像表示器、主制御装置、図柄制御装置を筐体に組み付けたことを特徴とする遊技疑似体験装置。
【請求項２】
使用済として回収されたパチンコ機からスピーカと音制御装置をも取り外し、その取り外したスピーカと音制御装置とを筐体に組み付けたことを特徴とする請求項１記載の遊技疑似体験装置。
【請求項３】
センター飾りが使用済として回収されたパチンコ機の遊技盤からセンター飾りの取付られた形態の遊技盤ピースとして遊技盤から切断されたことを特徴とする請求項１記載の遊技疑似体験装置。
【請求項４】
新品として作られる遊技盤がセンター飾りの取付られた形態の遊技盤ピースとこの遊技盤ピースを上下から挟む上遊技盤と下遊技盤との少なくとも３体に分割構成されたことを特徴とする請求項１記載の遊技疑似体験装置。
【発明の詳細な説明】
【技術分野】
【０００１】
本発明は、使用済遊技部品を活用する遊技疑似体験装置に関する。
【背景技術】
【０００２】
使用済遊技機のリサイクルには、遊技機枠、扉、金具などを、高価格・高耐久部材で構成し、これらの部材をレンタルする利用法が知られている。しかしながら、遊技機枠、扉、金具などの部材は、遊技者を引き付けるための要素が多いことから、係る部材をそのままの形で再利用するのは難しいという欠点がある。
【特許文献１】特開２００２−３４２６７４号公報
【発明の開示】
【発明が解決しようとする課題】
【０００３】
発明が解決しようとする問題点は、遊技機枠、扉、金具など、遊技者を引き付けるための要素が多き部材をそのままの形で再利用するのは難しいという点である。
【課題を解決するための手段】
【０００４】
本発明の遊技疑似体験装置は、使用済として回収されたパチンコ機から電源装置、球検出器、センター飾り、画像表示器、主制御装置、図柄制御装置を取り外し、その取り外した電源装置、球検出器、センター飾り、画像表示器、主制御装置、図柄制御装置を筐体に組み付けたことを最も主要な特徴とする。使用済として回収されたパチンコ機からスピーカと音制御装置をも取り外し、その取り外したスピーカと音制御装置とを筐体に組み付けたり、センター飾りが使用済として回収されたパチンコ機の遊技盤からセンター飾りの取り付けられた形態の遊技盤ピースとして遊技盤から切断されたり、新品として作られる遊技盤がセンター飾りの取り付けられた形態の遊技盤ピースとこの遊技盤ピースを上下から挟む上遊技盤と下遊技盤との少なくとも３体に分割構成されたりすることも特徴とする。
【発明の効果】
【０００５】
本発明の遊技疑似体験装置は、使用済として回収されたパチンコ機から電源装置、球検出器、センター飾り、画像表示器、主制御装置、図柄制御装置を取り外して筐体に組み付けたので、使用済として回収されたパチンコ機の遊技部品を活用し、画像表示器で表示される、リーチ、大当たり、確率変動、時短、チャンスタイム、再抽選など種々の遊技演出を、疑似体験することができるという利点がある。使用済として回収されたパチンコ機からスピーカと音制御装置をも取り外し、その取り外したスピーカと音制御装置とを筐体に組み付ければ、擬似体験者が画像表示器に表示される遊技演出に対応する効果音を聞けるので、一層、リアルな疑似体験を味わえるという利点がある。センター飾りが使用済として回収されたパチンコ機の遊技盤からセンター飾りの取り付けられた形態の遊技盤ピースとして遊技盤から切断されれば、センター飾りを筐体に直接的に組み付ける場合に比べ、センター飾りを筐体に組み付けやすいという利点がある。新品として作られる遊技盤がセンター飾りの取り付けられた形態の遊技盤ピースとこの遊技盤ピースを上下から挟む上遊技盤と下遊技盤との少なくとも３体に分割構成されれば、使用済として回収された遊技盤を切断する必要がないので、当該遊技盤に取り付けられている遊技部品を取り外す手間がかからないという利点がある。
【発明を実施するための最良の形態】
【０００６】
図１−図４は、第１実施形態である。図１は、遊技疑似体験装置の外観を示す。図２は遊技疑似体験装置を分解して示す。図３は、操作部と検出器収納部とを切断した断面を示す。図４は、パチンコ機の正面を示す。
【０００７】
図４を参照し、パチンコ機の構造について説明する。パチンコ機は、遊技機枠１の内部に遊技盤２を交換可能に取り付けた構造である。遊技機枠１は、パチンコ店の図外の遊技機設置構造体に取り付けられるものであって、前面に、飾り枠３、皿構造体４、発射操作機構５を備え、裏面に、電源装置６、図外の発射制御装置、図外の払出制御装置を備える。飾り枠３は、前面ガラス７で塞がれた開口部８の周囲に、複数の光演出部９、複数の音演出部１０、施錠装置１１を備える。光演出部９の内部には、ＬＥＤのような光源１２を備える。音演出部１０は、前面に放音孔１３を有し、内部にスピーカ１４を備える。パチンコ店の店員（以下、店員という）が施錠装置１１に図外の鍵を挿入して操作すると、飾り枠３と遊技機枠１とのロックが解除し、店員が飾り枠３を前側に開くことができる。飾り枠３が開けられた状態において、遊技盤２が遊技機枠１の内部に取り付けられる。
【０００８】
そして、遊技者が球を皿構造体４に入れ、発射操作機構５を操作すると、遊技機枠１の内部における図外の発射機構が皿構造体４から供給された球を１個ずつ遊技盤２のガイドレール１６で囲まれた内側の遊技領域１７に発射する。発射された球が、遊技領域１７を流下する過程において、複数の入賞部品１８のいずれか１つに入賞すると、賞球としての球が遊技機枠１の裏側から皿構造体４に払い出される。入賞部品１８は、球検出器１９を個別に備える。入賞球検出器１９は、入賞部品１８に入賞した球を検出して入賞信号を主制御装置２５に出力する。遊技盤２は、遊技領域１７に、入賞部品１８、風車２０、サイドランプ２１、センター飾り２２、図外の障害釘とも呼ばれる多数本の遊技釘などの遊技部品を備える。センター飾り２２の裏側には、液晶表示器のような電気的に表示形態を変えられる画像を表示画面に表示する画像表示器２３が配置される。画像表示器２３は、特別図柄表示器と呼ばれるものであって、遊技盤２の裏面に取り付けられる。遊技盤２は、裏面に、主制御装置２５、図柄制御装置２６、音制御装置２７、表示灯制御装置２８を備える。図柄制御装置２６は、画像表示器２３と一緒の表示筐体に収納されている。主制御装置２５は、球検出器１９から入力される入賞信号による球払出や抽選など遊技全般の処理を実行し、その処理結果としてのコマンドを、図柄制御装置２６、音制御装置２７、表示灯制御装置２８、図外の払出制御装置に出力する。図柄制御装置２６は、図柄表示器２３に図柄変動を表示して抽選の結果を反映して図柄変動を呈する。音制御装置２７は、入賞、リーチ、大当たり、確率変動、時短、チャンスタイム、再抽選など種々の遊技演出の音処理を実行してスピーカを駆動する。表示灯制御装置２８は、入賞、リーチ、大当たり、確率変動、時短、チャンスタイム、再抽選など種々の遊技演出の光処理を実行して光源を駆動する。
【０００９】
図２を参照し、前記パチンコ機がパチンコ店から使用済として回収された場合における遊技部品を活用した遊技擬似体験装置の構造について説明する。遊技疑似体験装置は、回収されたパチンコ機の画像表示器２３による遊技を体験する構造である。したがって、遊技疑似体験装置を作るのに必要な部品として、回収されたパチンコ機から電源装置６、主制御装置２５、音制御装置２７、スピーカ１４、球検出器１９を、それぞれの必要な部品の配線と一緒に、遊技機枠１や遊技盤２から取り外す。音制御装置２７は、合成樹脂製の制御筐体から取り出された回路基板に、電気部品および配線を備えた形態である。センター飾り２２は、センター飾り２２の周囲の遊技盤２を図示の所定形状に切断したセンター飾り構造体３１として活用する。センター飾り構造体３１は、上記所定形状に切断された遊技盤ピース３２の前面にセンター飾り２２を備える。遊技盤ピース３２は方形な上部左右の角が弧状上部３３になっている。遊技機枠１から取り外された遊技盤２から、遊技盤ピース３２を切断する場合、センター飾り２２以外の遊技部品を取り外す。但し、遊技釘は本数が多いことから、上記切断に支障のない範囲の遊技釘を取り外せばよい。
【００１０】
遊技疑似体験装置の筐体３５は、筐体本体３６、前面構造体３７、スピーカ収納構造体３８、蓋３９を備える。筐体本体３６は、前方および上方の開口した四角な箱形である。筐体本体３６における左右側壁４０の内面には、複数個の蓋取付部４１が、前後方向に、離れて、設けられる。筐体本体３６の内部には、検出器収納部４２、画像表示器収納部４３、音制御収納部４４、電源−主制御収納部４５が、前側から後側に順に配置された格好で、設けられる。検出器収納部４２には、複数個の球検出器１９が、個別に上方から装着さることによって、横一列に配置される。検出器収納部４２に装着された球検出器１９の配線は、検出器収納部４２と画像表示器収納部４３とを仕切る横長な隔壁４７に形成された凹部４８から画像表示器収納部４３の下部および音制御収納部４４の下部を経由して電源−主制御収納部４５に通される。
【００１１】
画像表示器収納部４３は、隔壁４７の左右両側に設けられた縦長な一対の支持壁４９を備える。画像表示器収納部４３では、一対の支持壁４９の間に、画像表示器２３の表示画面が前側に向けられ、画像表示器２３の表示筐体が一対の支持壁４９に上下左右方向に位置調整されて取り付けられる。画像表示器収納部４３に取り付けられた画像表示器２３の配線は、画像表示器収納部４３の下部および音制御収納部４４の下部を経由して電源−主制御収納部４５に通される。音制御収納部４４は、筐体本体３６における左右側壁４０に設けられた縦長な一対のガイドレール５０を備える。一対のガイドレール５０には、音制御装置２７における回路基板の電気部品を実装した板面が前側に向けられ、当該回路基板の両側部が、上方から挿入される。音制御装置２７の配線は、音制御収納部４４の下部から電源−主制御収納部４５に通される。
【００１２】
電源−主制御収納部４５には、２つの支持壁５１が、筐体本体３６の底壁から立設される。一方の支持壁５１と筐体本体３６の左側壁４０に設けた２つの蓋取付部４１との間が、電源装置６を嵌め込む空間である。他方の支持壁５１と筐体本体３６の右側壁４０に設けた２つの蓋取付部４１との間が、主制御装置２５を嵌め込む空間である。そして、電源装置６が上方から電源−主制御収納部４５に挿入され、電源装置６の下部が、一方の支持壁４９と筐体本体３６の左側壁４０に設けた２つの蓋取付部４１との間に収納されることによって、電源装置６が一方の支持壁５１と筐体本体３６の左側壁４０に設けた２つの蓋取付部４１とで左右から挟まれる格好に装着される。主制御装置２５が上方から電源−主制御収納部４５に挿入され、主制御装置２５の下部が、他方の支持壁５１と筐体本体３６の右側壁４０に設けた２つの蓋取付部４１との間に収納されることによって、主制御装置２５が他方の支持壁５１と筐体本体３６の右側壁４０に設けた２つの蓋取付部４１とで左右から挟まれる格好に装着される。電源−主制御収納部４５に収納された電源装置６における回路基板の板面と主制御装置２５における回路基板の板面とは、互いに向き合わされる。
【００１３】
前面構造体３７は、検出器収納部４２に被されるものであって、前部の操作部５３と後部のセンター飾り収納部５４とを備える。操作部５３は、検出器収納部４２に装着された複数の球検出器１９のそれぞれと対応する個数と位置とに釦５５を備えた、横長な形状である。センター飾り収納部５４は、検出器収納部４２に沿う横溝５６と、横溝５６の左右側部から上方に立設した一対の縦溝５７とを備える。そして、センター飾り２２が前側に向けられ、遊技盤ピース３２の両側部が一対の縦溝５７に上方から挿入されるとともに、遊技盤ピース３２の下縁部が横溝５６に挿入されることによって、センター飾り構造体３１がセンター飾り収納部５４に装着される。
【００１４】
一対のスピーカ収納構造体３８は、左右対称形である。スピーカ収納構造体３８の内部にはスピーカ１４が個別に取り付けられる。スピーカ１４の取り付けられた一対のスピーカ収納構造体３８の弧状下部５９が下に向けられるとともに放音孔６０が前側に向けられ、一対のスピーカ収納構造体３８が、左右に分かれてセンター飾り収納部５４の一対の縦溝５７に挿入されることによって、一対のスピーカ収納構造体３８の弧状下部５９がセンター飾り収納部５４に装着されたセンター飾り構造体３１における遊技盤ピース３２の両側弧状上部３３の上に搭載される。その後、センター飾り構造体３１と一対のスピーカ収納構造体３８とを備えた前面構造体３７が検出器収納部４２に被せられつつ画像表示器収納部４３よりも前側の筐体本体３６の内部に装着される。さらに、電源装置６、主制御装置２５、図柄制御装置２６、音制御装置２７、球検出器１８における相互の配線を接続する。最後に、蓋３９が筐体本体３６の上方の開口を塞いで筐体本体３６の上に搭載された後、止ねじ６１が蓋３９のねじ挿入孔６２から蓋取付部４１に締結されることによって、筐体本体３６の前側の開口と上方の開口とが前面構造体３７と蓋３９とで塞がれ、図１に示す形態の遊技疑似体験装置が完成する。
【００１５】
図３参照し、遊技疑似体験装置における操作部５３と検出器収納部４２との内部構造について説明する。図３のａ図において、操作部５３は、ベース６５とカバー６６とが、止ねじ６７で締結された構造である。ベース６５とカバー６６とが止ねじ６７で締結されることによって、操作部５３には内部空間６８が形成される。内部空間６８には、釦５５とコイルスプリングのような弾性体６９とが収納される。そして、弾性体６９の上部が釦５５の底面から内部に窪むばね受部７０に収納されて接触し、弾性体６９の下部がベース６５に接触し、弾性体６９が釦５５を上方に押し上げることによって、釦５５がカバー６６に形成された孔７１を経由してカバー６６より上方に突出し、釦５５の下部から外側に突出した鍔７２が孔７１の周りのカバー６６に接触する。釦５５におけるばね受部７０の中心からは支柱７３が下方に突出する。この支柱７３の下部は、ベース６５に形成された孔７４を経由してベース６５より下方に突出する。ベース６５より下方に突出した支柱７３の下端には、鉄材からなる検体７５が固定具７６で固定される。検体７５は、釦５５が弾性体６９で押し上げられ、鍔７２がカバー６６に接触した状態において、検出器収納部４２に装着された球検出器１９の検出孔７７の内部に配置される。検出器収納部４２における球検出器１９よりも下部には、検体逃部７８が設けられる。
【００１６】
したがって、図３のｂ図に示すように、球検出器１９が図２に示す主制御装置２５から動作電力を受けた状態において、人が釦５５を弾性体６９のばね力に抗して矢印Ｘ１の方向に押し下げると、検体７５が検出孔７７から検体逃部７８に移動する。このように検体７５が検出孔７７から検体逃部７８に移動することによって、検出孔７７内に形成され電界が変化する。人が上記釦５５の押し下げを解放すと、釦５５が弾性体６９で押し上げられるのに伴い、検体７５が検体逃部７８から検出孔７７に移動する。このように検体７５が検体逃部７８から検出孔７７に移動する場合も、検出孔７７内に形成され電界が変化する。しかし、検体７５が検出孔７７から検体逃部７８に移動する場合における電界の変化と、検体７５が検体逃部７８から検出孔７７に移動する場合における電界の変化とは、逆の態様である。つまり、検体７５が検出孔７７から検体逃部７８に移動する場合における電界の変化は、減少する。検体７５が検体逃部７８から検出孔７７に移動する場合における電界の変化は、増加する。したがって、この電界の減少と増加とが短時間で連続的に１回発生した場合、球検出器１９がオン信号を主制御装置２５に出力する。
【００１７】
第１実施形態によれば、図１に示す、球検出器１８を主制御装置２５に接続する場合、例えば、最も左側の球検出器１８を主制御装置２５の抽選のきっかけとなる始動入賞信号の入力端に接続し、その右隣の球検出器１８を主制御装置２５の図柄変動を停止するための入力端に接続し、さらに右隣の球検出器１８を主制御装置２５の大当たりの繰り返されるランド遊技の消化を行うための入力端に接続しておき、遊技疑似体験装置でパチンコ機における抽選に伴う図柄変動に関連する遊技を疑似体験する人が、最も左側の釦５５を操作すると、始動入賞による抽選処理、始動入賞によるスピーカからの効果音が放出され、画像表示器２３の表示画面に図柄変動が表示された後、画像表示器２３やスピーカ１４による抽選結果を反映したリーチ、大当たり、確率変動、時短、チャンスタイム、再抽選など種々の遊技演出を疑似体験することできる。使用済として回収されたパチンコ機から電源装置６、球検出器１９、センター飾り２２、画像表示器２３、主制御装置２５、図柄制御装置２６を取り外して筐体３５に組み付けたので、使用済として回収されたパチンコ機の遊技部品を活用することができるという利点がある。また、スピーカ１４および音制御装置２７も使用済として回収されたパチンコ機から取り外して筐体３５に組み付けたので、擬似体験者が画像表示器２３に表示される遊技演出に対応する効果音も聞けるので、一層、リアルな疑似体験を味わうことができるという利点がある。センター飾り２２が使用済として回収されたパチンコ機の遊技盤２からセンター飾り２２の取り付けられた形態の遊技盤ピース３２として遊技盤２から切断されているので、センター飾り２２を筐体３５に直接的に組み付ける場合に比べ、センター飾り２２を筐体３５に組み付けやすいという利点がある。
【００１８】
図５および図６は、第２実施形態である。図５は、遊技盤２の外観を示す。図６は、遊技盤ピース３２の周りの断面を示す。図５に示すように、遊技盤２が、遊技盤ピース３２を上下から挟むように、上遊技盤８０と下遊技盤８１とに、分割面８３で分断された構造である。下遊技盤８１には、遊技盤３２に取り付けられる遊技部品の裏側に突出した部分を挿入する逃孔９０が前後面に貫通する。遊技盤２から遊技盤ピース３２を取り外し、上遊技盤８０と下遊技盤８１とが互いに分割面８２を接触させて合わせられた場合、遊技盤２には、遊技盤ピース３２の抜けた孔が、前後に貫通する。図６において、上遊技盤８０には、分割面８２から内部に窪む溝８３が形成される。下遊技盤８１には、分割面８２から内部に窪む溝８４が形成される。遊技盤ピース３２には、外周部の前後面部を厚さ方向に切除することによって、溝８３；８４に嵌め込まれる嵌合部８５；８６が形成される。遊技盤ピース３２には、センター飾り３３を遊技盤ピース３２に止ねじ９２で取り付けるためのフランジ９３よりも後側に突出する部分を挿入するに逃孔８７が形成される。遊技盤ピース３２のフランジ９３よりも後側に突出する部分には、光透過性の有る無色な合成樹脂板８９を備える。遊技盤ピース３２の嵌合部８５；８６が、上遊技盤８０の溝８３と下遊技盤８１の溝８４とに嵌めこまれ、上遊技盤８０と下遊技盤８１とが、図５に示すように、分割面８２を互いに接触するように組み合わされた後、遊技盤３２の裏面にセット板と呼ばれる合成樹脂かなる部品取付構造体を上遊技盤８０と下遊技盤８１との双方に止ねじ９５で締結すれば、上遊技盤８０と下遊技盤８１とが遊技盤ピース３２を挟み込んだ格好で互いに結合することができる。このように、遊技盤２が、少なくとも、上遊技盤８０と下遊技盤８１と遊技盤ピース３２との３体に分割構成すれば、遊技疑似体験装置を作るために、使用済として回収された遊技盤２を切断する必要がないので、当該遊技盤２に取り付けられている遊技部品を取り外す手間がかからないという利点がある。
【産業上の利用可能性】
【００１９】
筐体３５に光源収納構造体を設け、使用済として回収されたパチンコ機から光源の実装された回路基板を取り外して上記光源収納構造体に組み付ければ、光演出も備わり、一層、リアルな疑似体験ができる。図２に示すセンター飾り収納部５７における一対の縦溝５７に遊技盤ピース３２を挿入した場合、遊技盤ピース３２が左右がたつく場合は、遊技盤ピース３２の側面と縦溝５７との間にスペーサを挿入すればよい。
【図面の簡単な説明】
【００２０】
【図１】遊技疑似体験装置の外観を示す斜視図（第１実施形態）。
【図２】遊技疑似体験装置を示す分解斜視図（第１実施形態）。
【図３】操作部と検出器収納部との組立構造を示す断面図（第１実施形態）。
【図４】パチンコ機を示す正面図（第１実施形態）。
【図５】遊技盤を示す斜視図（第２実施形態）。
【図６】遊技盤ピ−スの周りを示す断面図（第２実施形態）。
【符号の説明】
【００２１】
６    電源装置
１９  球検出器
２２  センター飾り
２３  画像表示器
２５  主制御装置
２６  図柄制御装置
３５  筐体
１４  スピーカ
２７  音制御装置
３２  遊技盤ピース
８０  上遊技盤
８１  下遊技盤
【図１】
2005185715.tif 000003
【図２】
2005185715.tif 000004
【図３】
2005185715.tif 000005
【図４】
2005185715.tif 000006
【図５】
2005185715.tif 000007
【図６】
2005185715.tif 000008